(57)【要約】【課題】シャフル時のカード破損を防止した読み書き装置を提供する。【解決手段】読み書き装置は、収納部に収納された複数の表示部材１００それぞれに対して、表示情報を読み出す読み出し部３００と、読み出し部３００によって複数の表示部材それぞれから読み出された複数の表示情報を記憶するバッファ６００と、収納部に収納された複数の表示部材１００それぞれに対して、バッファ６００に記憶されている複数の表示情報のいずれかを表示させる書き込み部４００と、収納部に収納された複数の表示部材１００のうちの少なくとも一部について、不揮発性表示媒体に表示させる表示情報が、読み出し部３００によって表示情報を読み出す前と書き込み部４００によって表示情報を書き込んだ後とで異なるように制御する制御部５００とを備える。【選択図】図１
2010200822.tif 000002
【特許請求の範囲】
【請求項１】
画素毎に電圧を印加することにより表示情報を表示させる不揮発性表示媒体を備える表示部材に対して、前記表示情報を読み書きする読み書き装置であって、
複数の前記表示部材を収納する収納部と、
前記収納部に収納された前記複数の表示部材それぞれに対して、前記不揮発性表示媒体に印加された電圧を検知することによって、前記表示情報を読み出す読み出し部と、
前記読み出し部によって前記複数の表示部材それぞれから読み出された複数の前記表示情報を記憶する記憶部と、
前記収納部に収納された前記複数の表示部材それぞれに対して、前記不揮発性表示媒体に電圧を印加することによって、前記記憶部に記憶されている前記複数の表示情報のいずれかを表示させる書き込み部と、
前記収納部に収納された前記複数の表示部材のうちの少なくとも一部について、前記不揮発性表示媒体に表示される前記表示情報が、前記読み出し部によって前記表示情報を読み出す前と前記書き込み部によって前記表示情報を書き込んだ後とで異なるように制御する制御部とを備える
読み書き装置。
【請求項２】
前記制御部は、乱数値を発生させる乱数発生部を備え、
前記読み出し部が前記表示部材から前記表示情報を読み出す順序、及び前記書き込み部が前記表示部材に書き込む前記表示情報を前記記憶部から読み出す順序のうちの少なくとも一方を、前記乱数発生部で発生させた乱数値に基づいて決定する
請求項１に記載の読み書き装置。
【請求項３】
前記制御部は、前記読み出し部によって前記記憶部に書き込まれた前記複数の表示情報の記憶順序を入れ替える
請求項１に記載の読み書き装置。
【請求項４】
該読み書き装置は、さらに、前記複数の表示部材それぞれの前記収納部内での向きを示す収納状態を検知する収納状態検知部を備え、
前記記憶部は、前記収納状態検知部によって検知された収納状態を、当該表示部材が保持していた前記表示情報に関連付けて保持し、
前記書き込み部は、前記記憶部から読み出した前記表示情報を保持していた前記表示部材の収納状態と当該表示情報を書き込む前記表示部材の収納状態とを比較して、当該表示情報が正しく表示されるように、前記不揮発性表示媒体に電圧を印加する
請求項１〜３のいずれか１項に記載の読み書き装置。
【請求項５】
各々が不揮発性表示媒体を備える複数の表示部材と、
前記複数の表示部材それぞれに対して、前記不揮発性表示媒体に表示させる表示情報を読み書きする請求項１〜４のいずれか１項に記載の読み書き装置とを備える
遊技用具。
【発明の詳細な説明】
【技術分野】
【０００１】
本発明は、トランプや花札などを自動的にシャフリングする機能を有する遊技用具に関する。
【背景技術】
【０００２】
従来、トランプや花札などを自動的にシャフリングする機能を有する遊技用具は、例えば特許文献１に開示されたものがある。特許文献１に開示されているカードゲーム機は、第１の保持手段と第２の保持手段との間で、複数回に亘って無作為にカードを搬送することによって、カード順をランダムに並び替える機能を有している。
【特許文献１】特開２００５−１０３２４３号公報
【特許文献２】特開２００７−５２２０２号公報
【特許文献３】特開２０００−３５５９８号公報
【発明の開示】
【発明が解決しようとする課題】
【０００３】
しかしながら、特許文献１に示されたような機構的なシャフリングの場合、以下の問題を有していた。まず、装置内部での巻き込み等によってカードが破損するリスクがある。また、挿入口などのサイズが固定されているので、さまざまなカード種（トランプや花札など）への適用が困難である。
【０００４】
そこで、本発明は、カード破損のリスクがなく、またさまざまなカード種への適用が容易である遊技用具を提供することを目的とする。
【課題を解決するための手段】
【０００５】
本発明に係る読み書き装置は、画素毎に電圧を印加することにより表示情報を表示させる不揮発性表示媒体を備える表示部材に対して、前記表示情報を読み書きする。具体的には、複数の前記表示部材を収納する収納部と、前記収納部に収納された前記複数の表示部材それぞれに対して、前記不揮発性表示媒体に印加された電圧を検知することによって、前記表示情報を読み出す読み出し部と、前記読み出し部によって前記複数の表示部材それぞれから読み出された複数の前記表示情報を記憶する記憶部と、前記収納部に収納された前記複数の表示部材それぞれに対して、前記不揮発性表示媒体に電圧を印加することによって、前記記憶部に記憶されている前記複数の表示情報のいずれかを表示させる書き込み部と、前記収納部に収納された前記複数の表示部材のうちの少なくとも一部について、前記不揮発性表示媒体に表示される前記表示情報が、前記読み出し部によって前記表示情報を読み出す前と前記書き込み部によって前記表示情報を書き込んだ後とで異なるように制御する制御部とを備える。
【０００６】
上記構成の読み書き装置は、複数の表示部材を物理的にシャフルするのではなく、表示情報を相互に入れ替えることによってシャフルを行うので、従来のようなカードの破損等を有効に防止することができる。
【０００７】
一実施形態として、前記制御部は、乱数値を発生させる乱数発生部を備える。そして、前記読み出し部が前記表示部材から前記表示情報を読み出す順序、及び前記書き込み部が前記表示部材に書き込む前記表示情報を前記記憶部から読み出す順序のうちの少なくとも一方を、前記乱数発生部で発生させた乱数値に基づいて決定してもよい。
【０００８】
他の実施形態として、前記制御部は、前記読み出し部によって前記記憶部に書き込まれた前記複数の表示情報の記憶順序を入れ替えてもよい。
【０００９】
上記のいずれの方法によっても、複数の表示部材の間で表示情報を相互に入れ替えることが可能となる。
【００１０】
また、該読み書き装置は、さらに、前記複数の表示部材それぞれの前記収納部内での向きを示す収納状態を検知する収納状態検知部を備える。また、前記記憶部は、前記収納状態検知部によって検知された収納状態を、当該表示部材が保持していた前記表示情報に関連付けて保持している。そして、前記書き込み部は、前記記憶部から読み出した前記表示情報を保持していた前記表示部材の収納状態と当該表示情報を書き込む前記表示部材の収納状態とを比較して、当該表示情報が正しく表示されるように、前記不揮発性表示媒体に電圧を印加してもよい。
【００１１】
上記構成とすることにより、収納部に収納されている複数の表示部材の向きがバラバラであったとしても、適切に表示情報のシャフルを行うことができる。
【００１２】
本発明に係る遊技用具は、各々が不揮発性表示媒体を備える複数の表示部材と、前記複数の表示部材それぞれに対して、前記不揮発性表示媒体に表示させる表示情報を読み書きする上記記載の読み書き装置とを備える。これにより、シャフル時のカードの破損等を有効に防止した遊技用具を得ることができる。
【発明の効果】
【００１３】
本発明によれば、複数の表示部材に表示される表示情報が、読み出す前と書き込んだ後とで異なるように制御したので、表示部材の巻き込み等による破損リスクがない。
【発明を実施するための最良の形態】
【００１４】
（第１の実施形態）
図１は、本発明の第１の実施形態における遊技用具の構成図である。遊技用具は、Ｎ枚（複数）の表示部材１００＿１〜１００＿Ｎ（以下、総称して「表示部材１００」と表記する）と、読み書き装置２００とを含んで構成される。なお、花札の場合はＮ＝４８、トランプの場合はＮ＝５３（ジョーカー１枚を含む）となる。
【００１５】
図２Ａは、表示部材１００＿１の内部構造を示す図である。なお、他の表示部材１００＿２〜１００＿Ｎも同一の構造であるので、説明は省略する。
【００１６】
表示部材１００＿１には、縦方向に延びるＬ本の第１の電極１１０＿１〜１１０＿Ｌ（以下、総称して「第１の電極１１０」と表記する）と、横方向に延びるＭ本の第２の電極１２０＿１〜１２０＿Ｍ（以下、総称して「第２の電極１２０」と表記する）とが互いに交差（直交）する形で配列される。そして、第１の電極１１０と第２の電極１２０との交点が画素に対応する。つまり、この表示部材１００＿１は、Ｌ×Ｍ画素の画像を表示することができる。
【００１７】
第１及び第２の電極１１０、１２０は、それぞれ電極部１１１、１２１と、電極部１１１、１２１の両端部に取り付けられた端子部１１２、１２２とから構成される。そして、後述する読み書き装置２００の収納部２０１の内側に設けられたコネクタから第１の電極１１０の端子部１１２と、第２の電極１２０の端子部１２２とに電圧を印加することによって、当該第１及び第２の電極１１０、１２０の交点の画素に画像が表示される。
【００１８】
図２Ｂは、表示部材１００＿１を、第１の電極１１０＿１に沿って切断した断面図である。
【００１９】
表示部材１００＿１には、図２Ｂに示されるように、上部（画像を表示する側）に位置する第１の電極１１０と、下部に位置する第２の電極１２０とに挟まれる形で複数のカプセル１３０が配置されている。つまり、１個のカプセル１３０が１画素となる。このカプセル１３０には、正に帯電した正極粒子群（図示省略）と、負に帯電した負極粒子群（図示省略）とを含む帯電性粒子が封入されている。
【００２０】
カプセル１３０は台紙１４０に埋め込まれ、第１及び第２の電極１１０、１２０の端子部１１２、１２２は台紙１４０の辺側に折り曲げる形で突出させる。少なくとも台紙１４０と第１の電極１１０とカプセル１３０とは透過性を有しており、ユーザからカプセル１３０内に封入された帯電性粒子が見えるようになっている。但し、下面からは図柄が見えないようにしておく。なお、第１及び第２の電極１１０、１２０とカプセル１３０とをまとめて不揮発性表示媒体とする。
【００２１】
ここで、不揮発性表示媒体は特許文献２などに開示された電気泳動方式の電子ペーパに対応するものであり、第１及び第２の電極１１０、１２０に印加する電圧の違いによって帯電性粒子の泳動状態が変わり、その結果表示濃度が変わる表示媒体である。また既に印加された電圧を読み出すことも可能である。詳細については説明を省略する。
【００２２】
また、不揮発性表示媒体中のカプセル１３０は、特許文献３に示すように、シアン、マゼンダ、イエローの３種類の帯電性粒子が封入された３種類のカプセルを、台紙１４０内に偏り無く配列したカプセル群であるとする。このような配列にすることによりカラー表示することが可能となる。
【００２３】
図３Ａは、読み書き装置２００の外観図である。読み書き装置２００は、収納部２０１と、回路部２０２と、スイッチ２０３とを含む。収納部２０１は、４つの側面２０１ａ、２０１ｂ、２０１ｃ、２０１ｄで構成され、上辺側に開口部を有する。そして、Ｎ枚の表示部材１００を重ねた状態で上辺側開口部から収納したり、取り出したりできるようになっている。回路部２０２は、図１Ａに示されるように、読み出し部３００、書き込み部４００、制御部５００、及びバッファ６００を含む。また、スイッチ２０３は、ユーザのスイッチ操作に従ってシャフリング指示を制御部５００に入力するものである。なお、読み書き装置２００の電源（図示せず）も併せて回路部２０２に備えておく。
【００２４】
読み出し部３００は、収納部２０１に収納されているＮ枚の表示部材１００それぞれが保持している表示情報を読み出す。具体的には、第１及び第２の電極１１０、１２０の端子部１１２、１２２に接続して、画素毎の電圧値を検知することによって表示情報を読み出す。また、読み出し部３００によって読み出された表示情報はバッファ６００に記憶される。
【００２５】
書き込み部４００は、収納部２０１に収納されているＮ枚の表示部材１００それぞれに対して、バッファ６００に記憶されている表示情報を書き込む。具体的には、第１及び第２の電極１１０、１２０の端子部１１２、１２２に接続して、画素毎に所定の電圧を印加することによって表示情報を書き込む。
【００２６】
制御部５００は、収納部２０１に収納されているＮ枚の表示部材１００それぞれに保持される表示情報が、読み出し部３００で表示情報を読み出す前と書き込み部４００で表示情報を書き込んだ後とで異なるように制御する。具体的には、読み出し部３００による読み出し順序、書き込み部４００による書き込み順序、及びバッファ６００の記憶順序等を制御する。
【００２７】
また、制御部５００は、乱数値を発生させる乱数発生部（図示省略）を有する。乱数発生部は、１〜ＮまでのＮ個の自然数を任意の順番（ランダム）で出力する。なお、乱数発生部から出力される乱数値は、図５に示すような一連のシャフリング処理中で重複しないものとする。
【００２８】
バッファ６００は、Ｎ枚の表示部材１００それぞれに対応するＮ個の表示情報を保持する。具体的には、読み出し部３００が表示部材１００から読み出した表示情報がバッファ６００に書き込まれる。また、書き込み部４００がバッファ６００から表示情報を読み出して表示部材１００に書き込む。
【００２９】
図３Ｂは、収納部２０１の側面２０１ａの内側のコネクタ配置図である。側面２０１ａの内側には、横一列にＬ個のコネクタ２０００＿１〜２０００＿Ｌ（以下、総称して「コネクタ２０００」と表記する）が形成されている。このＬ個のコネクタ２０００は、表示部材１００の第１の電極１１０に設けられた端子部１１２に対応する。また、このＬ個のコネクタ２０００は、縦方向にＮセット形成されている。これは、収納部２０１内にＮ枚の表示部材１００を重ねて収納した場合に、各表示部材１００＿１〜１００＿Ｎに対応する。
【００３０】
図３Ｃは、収納部２０１の側面２０１ｂの内側のコネクタ配置図である。側面２０１ｂの内側には、横一列にＭ個のコネクタ２００１＿１〜２００１＿Ｍ（以下、総称して「コネクタ２００１」と表記する）が形成されている。このＭ個のコネクタ２００１は、表示部材１００の第２の電極１２０に設けられた端子部１２２に対応する。また、このＭ個のコネクタ２００１は、縦方向にＮセット形成されている。これは、収納部２０１内にＮ枚の表示部材１００を重ねて収納した場合に、各表示部材１００＿１〜１００＿Ｎに対応する。
【００３１】
図４は、バッファ６００のメモリマップである。図４の横軸（変数「ｉ」）は第１の電極１１０を、縦軸（変数「ｊ」）は第２の電極１２０をそれぞれ指す。つまり、図４の各セルは、ｉ番目の第１の電極１１０とｊ番目の第２の電極１２０との交点の画素の画素値（電圧値）を保持する。つまり、Ｌ×ｍ個のセル（以下、「Ｐｉｃｔｕｒｅ（ｋ）」と表記する）で１枚の表示部材１００の全画素の画素値（以下、「表示情報」表記する）を記憶することができる。
【００３２】
以上のように構成された遊技用具におけるシャフリング機能を、図５を中心に説明する。なお、第１の実施形態においては、Ｎ枚の表示部材１００それぞれが保持しているＮ個の表示情報は、全て異なる（ユニーク）ものであり、同一の表示情報が複数の表示部材１００に保持されることはないものとする。
【００３３】
ユーザがＮ枚の表示部材１００を使用して花札をした後、Ｎ枚の表示部材１００を配るために重ねた時の並びには規則性が残る。該規則性は次に使用する際に好ましくないので、図５のフローチャートに従って自動的にシャフリングを行い不規則（ランダム）な並びにする。
【００３４】
まず、Ｎ枚の表示部材１００を、図柄が見える面を上向き、すなわち上辺側にくるように重ねて収納部２０１に収納する。次に、スイッチ２０３を押下することによりシャフリング指示を制御部５００に入力する。制御部５００はシャフリング指示を受け付けると、図５に示すフローチャートの実行を開始する。なお、図５において、Ｓ５００番台のステップは制御部５００が実行するステップ、Ｓ３００番台のステップは読み出し部３００が実行するステップ、Ｓ４００番台のステップは書き込み部４００が実行するステップである。図５のフローチャートの前半すなわちＳ５００〜Ｓ５０３が読み出し処理、後半すなわちＳ５０４〜Ｓ５０７が書き込み処理に対応する。
【００３５】
［読み出し処理］
読み出し処理においては、まず制御部５００が、内部に保持している変数ｉ、ｊに値１を設定し（Ｓ５００）、変数ｋに値１を設定する（Ｓ５０１）。次に、制御を読み出し部３００に移す。
【００３６】
読み出し部３００は、コネクタ２０００＿１とコネクタ２００１＿１との間の電位差検知により、該コネクタ２０００＿１、２００１＿１に接続された表示部材１００＿ｋ（ｋ＝１）の対応する第１及び第２の電極１１０、１２０間の電位差、すなわち電圧値の検知を行う（Ｓ３００）。検知された電圧値を、図４に示すバッファ６００のＰｉｃｔｕｒｅ（１）のｉ＝１且つｊ＝１のセルにストアする（Ｓ３０１）。
【００３７】
そして、変数ｉをインクリメントした後（Ｓ３０２）、変数ｉと第１の電極１１０の本数Ｌとの比較を行う（Ｓ３０３）。なお、第１の電極１１０の本数Ｌ、第２の電極１２０の本数Ｍ、及び表示部材１００の枚数Ｎの値は予め読み書き装置２００内部に保持されているものとする。変数ｉがＬ以下の場合はＳ３００に戻り、変数ｉがＬより大きくなるまでＳ３００〜Ｓ３０３を繰り返して実行する。以上の処理により、Ｐｉｃｔｕｒｅ（１）のｊ＝１の欄全てに検知した電圧値がストアされることとなる。
【００３８】
Ｓ３０３において変数ｉがＬより大きくなった場合は、変数ｉに値１を設定し（Ｓ３０４）、変数ｊをインクリメントする（Ｓ３０５）。この処理により、図４のストア位置をＰｉｃｔｕｒｅ（１）のｊ＝２の欄に移す。そしてＳ３０６において、変数ｊがＭに達するまでＳ３００〜Ｓ３０６を実行することにより、図４のＰｉｃｔｕｒｅ（１）の全ての欄に検知した電圧値がストアされることとなる。
【００３９】
Ｓ３０６において変数ｊがＭより大きくなった場合は、変数ｊに値１を設定し（Ｓ３０７）、制御部５００が変数ｋをインクリメントする（Ｓ５０２）。この処理により、図４のストア位置をＰｉｃｔｕｒｅ（２）に移す。そしてＳ５０３において、変数ｋがＮに達するまでＳ３００〜Ｓ５０３を実行することにより、図４の全ての欄に、検知した電圧値がストアされることとなる。
【００４０】
以上の読み出し処理により、収納部２０１に収納されたＮ枚の表示部材１００の表示情報が、上から順番にＰｉｃｔｕｒｅ（１）→Ｐｉｃｔｕｒｅ（２）→・・・→Ｐｉｃｔｕｒｅ（Ｎ）の順にバッファ６００にストアされる。
【００４１】
［書き込み処理］
次に、書き込み処理において、まず制御部５００が、内部に保持している変数ｉ、ｊ、ｋに値１を設定する（Ｓ５０４）。次に、制御部５００の乱数発生部で発生させた値１〜Ｎの範囲の乱数値を変数ｒに設定する（Ｓ５０５）。次に、制御を書き込み部４００に移す。
【００４２】
書き込み部４００は、図４に示すバッファ６００のＰｉｃｔｕｒｅ（ｒ）のｉ＝１且つｊ＝１の欄にストアされた電圧値をロードする（Ｓ４００）。なお、乱数値ｒはＳ５０５で設定された値である。次に、ｋ段目（ｋ＝１）のコネクタ２０００＿１とコネクタ２００１＿１との間に、該ロードした電圧値を印加することによって表示部材１００＿ｋに表示情報の一部を書き込む（Ｓ４０１）。
【００４３】
そして、変数ｉをインクリメントした後（Ｓ４０２）、変数ｉとＬとの比較を行う（Ｓ４０３）。変数ｉがＬ以下の場合はＳ４００に戻り、変数ｉがＬより大きくなるまでＳ４００〜Ｓ４０３を繰り返して実行する。以上の処理により、Ｐｉｃｔｕｒｅ（ｋ）のｊ＝１の欄全てにストアされている電圧値をロードし、該電圧値を表示部材１００＿ｋの対応する位置に印加し、表示情報の一部を書き込むこととなる。
【００４４】
Ｓ４０３において変数ｉがＬより大きくなった場合は、変数ｉに値１を設定し（Ｓ４０４）、変数ｊをインクリメントする（Ｓ４０５）。この処理により、図４のロード位置をＰｉｃｔｕｒｅ（ｋ）のｊ＝２の欄に移す。そしてＳ４０６において、変数ｊがＭに達するまでＳ４００〜Ｓ４０６を実行することにより、図４のＰｉｃｔｕｒｅ（ｋ）の全ての欄にストアされている電圧値をロードし、該電圧値を表示部材１００＿ｋの対応する位置に印加し、表示情報を書き込むこととなる。
【００４５】
Ｓ４０６において変数ｊがＭより大きくなった場合は、変数ｊに値１を設定し（Ｓ４０７）、制御部５００が変数ｒに値１〜Ｎの範囲の新たな乱数値を設定する（Ｓ５０６）。但し、変数ｒに設定される乱数値は、図５に示す一連の処理中で重複しないものとする。この処理により、図４のロード位置を前述したＰｉｃｔｕｒｅ（ｒ）と異なるＰｉｃｔｕｒｅ（ｒ）に移す。
【００４６】
また、変数ｋの値をインクリメントする（Ｓ４０８）。そしてＳ５０７において、変数ｋがＮに達するまでＳ４００〜Ｓ５０７を実行することにより、図４の全ての欄にストアされている電圧値をロードし、該電圧値を表示部材１００＿ｋに印加し表示情報を書き込むこととなる。
【００４７】
以上の書き込み処理により、バッファ６００（図４）にストアされた電圧値、すなわちＰｉｃｔｕｒｅ（１）→Ｐｉｃｔｕｒｅ（２）→・・・→Ｐｉｃｔｕｒｅ（Ｎ）の順にストアされた表示情報が、その順番がランダムにシャフリングされた状態でＮ枚の表示部材１００に書き込まれることとなる。
【００４８】
以上のように、制御部５００の読み書き制御に従い、読み出し部３００が、収納部２０１に収納されたＮ枚の表示部材１００の表示情報を上から順番に、すなわちＰｉｃｔｕｒｅ（１）→Ｐｉｃｔｕｒｅ（２）→・・・→Ｐｉｃｔｕｒｅ（Ｎ）の順にバッファ６００にストアする。一方、書き込み部４００が、その順番がランダムにシャフリングされた状態でＮ枚の表示部材１００に書き戻すことにより、簡単にシャフリングすることができる。
【００４９】
第１の実施形態においては、読み出し部３００がＮ枚の表示部材１００から表示情報を読み出す順序と、バッファ６００に表示情報を書き込む順序とは同じである。つまり、収納部２０１に収納されているＮ枚の表示部材１００の上から順（昇順）に表示情報を読み出し、当該表示情報を読み出した順にバッファ６００の上から順に格納する。
【００５０】
一方、書き込み部４００がバッファ６００から表示情報を読み出す順序と、Ｎ枚の表示部材１００に表示情報を書き込む順序とは異なる。つまり、乱数発生部が出力した乱数値に従ってバッファ６００から表示情報をランダムに読み出し、当該表示情報を収納部２０１に収納されているＮ枚の表示部材１００の上から順に書き込む。
【００５１】
なお、上記の処理の結果、全ての表示部材１００に保持される表示情報が変更されるとは限らない。すなわち、一部の表示部材１００においては、読み出し部３００によって読み出された表示情報と、書き込み部４００によって書き込まれた表示情報とが同一となる可能性がある。しかしながら、Ｎ枚の表示部材１００の少なくとも一部について表示情報が入れ替わっていればよい。
【００５２】
（第２の実施形態）
第２の実施形態における遊技用具の構成は、第１の実施形態における遊技用具の構成（図１〜図４）と同様であり、シャフリングの仕方が異なる。
【００５３】
図６は、第２の実施形態におけるシャフリング機能を示すフローチャートである。図５（第１の実施形態におけるシャフリング機能）では、読み出し順序（すなわち変数ｋの変化）が１→２→・・・→Ｎであり、書き込み順序（すなわちバッファ６００からの読み出し順序を決定する変数ｒの変化）がランダムであったが、図６（第２の実施形態におけるシャフリング機能）では、読み出し順序（すなわちＮ枚の表示部材１００からの読み出し順序を決定する変数ｒの変化）がランダム、書き込み順序（すなわち変数ｋの変化）が１→２→・・・→Ｎとなる。その他は同様であるので説明を省略する。
【００５４】
以上のように、制御部５００の読み書き制御に従い、読み出し部３００が、収納部２０１に収納されたＮ枚の表示部材１００の表示情報をランダムにバッファ６００にストアし、書き込み部４００が、バッファ６００にストアされた表示情報を昇順、すなわちバッファ６００の上から順番にＮ枚の表示部材１００に書き戻すことにより、簡単にシャフリングすることができる。
【００５５】
第２の実施形態においては、読み出し部３００がＮ枚の表示部材１００から表示情報を読み出す順序と、バッファ６００に表示情報を書き込む順序とは異なる。つまり、乱数発生部が出力した乱数値に従ってＮ枚の表示部材１００からランダムに表示情報を読み出し、当該表示情報を読み出した順にバッファ６００の上から順に格納する。
【００５６】
一方、書き込み部４００がバッファ６００から表示情報を読み出す順序と、Ｎ枚の表示部材１００に表示情報を書き込む順序とは同じである。つまり、バッファ６００の上から順に表示情報を読み出し、当該表示情報を収納部２０１に収納されているＮ枚の表示部材１００の上から順に書き込む。
【００５７】
（第３の実施形態）
図７は、本発明の第３の実施形態における遊技用具の構成図である。第３の実施形態に係る読み書き装置２００の回路部２０２は、読み出し部３００、書き込み部４００、制御部７００、及びシャフリング用バッファ８００を備える。
【００５８】
シャフリング用バッファ８００は、読み出し部３００がＮ枚の表示部材１００から読み出した表示情報を書き込む書き込み用バッファ８１０（図９Ａ）と、書き込み部４００がＮ枚の表示部材１００に書き込む表示情報を読み出す読み出し用バッファ８２０（図９Ｂ）とで構成される。なお、書き込み用バッファ８１０及び読み出し用バッファ８２０の構造は、図４と共通するので、説明は省略する。
【００５９】
制御部７００は、書き込み用バッファ８１０に記憶されている複数の表示情報Ｐｉｃｔｕｒｅ（１）〜Ｐｉｃｔｕｒｅ（Ｎ）の記憶順序を入れ替えて、読み出し用バッファ８２０に記憶させる。
【００６０】
具体的には、書き込み用バッファ８１０の乱数値が示す位置から表示情報を読み出し、当該表示情報を読み出し用バッファ８２０の上から順に書き込む。または、書き込み用バッファ８１０の上から順に表示情報を読み出し、当該表示情報を読み出し用バッファ８２０の乱数値が示す位置に書き込む。
【００６１】
第１及び第２の実施形態では、読み出し順序もしくは書き込み順序のいずれかをランダムにすることによってシャフリングを行ったが、第３の実施形態は、読み出し順序や書き込みを昇順、すなわちシャフリング用バッファ８００の上から順番に行い、制御部７００がシャフリング用バッファ８００におけるＰｉｃｔｕｒｅ（１）〜Ｐｉｃｔｕｒｅ（Ｎ）のストア位置をランダムに入れ替えることによりシャフリングを行うものである。
【００６２】
ここで、第１〜第３の実施形態におけるシャフリングの違いを図１０にまとめた。第１の実施形態がモードＡ、第２の実施形態がモードＢ、第３の実施形態がモードＣに対応する。
【００６３】
シャフリング機能を示すフローチャート（図８）のＳ７００において、制御部７００がシャフリングを行う。シャフリング前の書き込み用バッファ８１０のストア状態を図９Ａ、シャフリング後の読み出し用バッファ８２０のストア状態を図９Ｂに示す。その他のフローチャートは、図５のＳ５００〜Ｓ５０３や図６のＳ５０４〜Ｓ５０７と同様であるので説明を省略する。
【００６４】
以上のように、制御部７００がシャフリング用バッファ８００のストア状態を図９Ａから図９Ｂに示す状態に入れ替えるようにしたので、簡単にシャフリングすることができる。
【００６５】
（第４の実施形態）
図１１は、本発明の第４の実施形態における遊技用具の構成図である。第４の実施形態は、Ｎ枚の表示部材１００それぞれの表裏がバラバラな状態で重ねられて収納部２０１に収納されても正しくシャフリングできるようにしたものであり、第３の実施形態における遊技用具（図７）に、さらに、カードステータス検知部（収納状態検知部）９００を備えたものである。
【００６６】
カードステータス（収納状態）とは、表示部材１００の収納部２０１内における向きを示す情報である。具体的には、図１２に示す４つの状態を識別するものであり、カードステータス（１）〜（４）で識別する。なお、図１２において、カードステータス（１）の左上隅の位置に●印を施した。
【００６７】
カードステータス（１）を基準とすると、カードステータス（２）はカードステータス（１）を裏返した状態、カードステータス（３）はカードステータス（１）を１８０°回転させた状態、カードステータス（４）はカードステータス（１）を裏返して、さらに１８０°回転させた状態である。なお、「裏返した状態」とは、表示部材１００の表裏を反転させることを指す。また、「１８０°回転させた状態」とは、表示部材１００の表裏を変更せずに、表示面に垂直な回転軸回りに回転させることを指す。
【００６８】
カードステータス検知部９００は、収納部２０１に収納されているＮ枚の表示部材１００それぞれのカードステータスを検知する。具体的には、図１３に示すようにＮ枚の表示部材１００の各々（ここでは代表的に１００＿ｋとする）の左上隅に導電性部材１００５＿ｋを装着した。さらに図１４に示すように、収納部２０１の上面から見て、四隅に導電スイッチ２００５Ａ＿ｋ、２００５Ｂ＿ｋ、２００５Ｃ＿ｋ、２００５Ｄ＿ｋを備えた。なお、導電スイッチ２００５Ａ＿ｋ〜２００５Ｄ＿ｋの各々は収納部２０１の深さ方向にＮ個ずつ配列されている。
【００６９】
以上のように構成された遊技用具におけるシャフリング機能を、図１５を中心に説明する。なお、図１５は前述した第３の実施形態におけるフローチャート（図８）に対して、Ｓ７０１〜Ｓ７０４を追加し、さらにＳ７００、Ｓ５０４、Ｓ４０２、Ｓ４０４を変更したものである。その他のステップは同様であるので、追加及び変更した箇所のみについて説明する。
【００７０】
Ｓ３０７の後、表示部材１００＿ｋ毎にカードステータスを検知し、シャフリング用バッファ８００（図１５Ａ）の読み出し元カードステータスと書き込み先カードステータスとの２つの欄に、当該カードステータスをストアする（Ｓ７０１）。つまり、シャフリング用バッファ８００には、表示部材１００＿ｋが保持する表示情報と、表示部材１００＿ｋのカードステータスとが関連付けられて保持されている。
【００７１】
カードステータスは図１２に示すカードステータス（１）〜（４）のいずれかである。カードステータス（１）の場合は、図１３の導電性部材１００５＿ｋによって、図１４の導電スイッチ２００５Ａ＿ｋが導通状態となり、カードステータス検知部９００がカードステータス（１）を制御部７００に通知することとなる。同様にして、カードステータス（２）〜（４）の場合は、夫々導電スイッチ２００５Ｂ＿ｋ、２００５Ｃ＿ｋ、２００５Ｄ＿ｋが通電状態となる。
【００７２】
次に、Ｓ７００のシャフリングにおいては、第３の実施形態のシャフリング（図９Ａ及び図９Ｂ）に加えて、シャフリング用バッファ８００にストアされたカードステータスの処理が必要となる（図１６Ａ及び図１６Ｂ）。具体的には、各Ｐｉｃｔｕｒｅ（ｋ）の電圧値に加え、対応する読み出し元カードステータスも一緒にシャフリングされる。但し書き込み先カードステータスはシャフリングされない。
【００７３】
例えば、シャフリング前の状態を図１６Ａとすると、Ｓ７００のシャフリングによって図１６Ｂのようになる。つまり、図１６Ｂに示される読み出し元カードステータスは、対応する表示情報を保持していた表示部材１００のカードステータスを示す。一方、書き込み先カードステータスは、対応する表示情報を書き込む表示部材１００のカードステータスを示す。そして、書き込み部４００は、この読み出し元カードステータスと書き込み先カードステータスとを比較して、表示情報が正しく表示されるように、表示部材１００の不揮発性表示媒体に電圧を印加する。
【００７４】
具体的には、制御部７００は図１７に示すカードステータステーブル（制御部７００に内蔵）に基づき、図１６Ｂの各Ｐｉｃｔｕｒｅ（ｋ）における「書き込み時の変数ｉの更新モード」を決定する（Ｓ７０２）。
【００７５】
例えば、Ｐｉｃｔｕｒｅ（１）の場合は、読み出し元カードステータス（４）と、書き込み先カードステータス（１）との組み合わせであるので、図１５によりデクリメントモードであると判断する。つまり、読み出し元カードステータスと書き込み先カードステータスとを比較して、表示部材１００の表裏が同一（一致）している場合にはインクリメントモードであると判断し、表示部材１００の表裏が反転している場合にはデクリメントモードであると判断する。
【００７６】
ここで、図１２を用いて説明する。読み出し元カードステータス（４）、即ち裏向きに収納されたカードであり、読み出し時には図１２の（４）の左辺から右辺に向かって読み出されシャフリング用バッファ８００にストアされる。このストアされた表示情報を図１２の（１）のような表向きに収納されたカードに書き込む場合は、右辺から左辺に向かって書かなければ正規の方向の図柄にならない。
【００７７】
すなわち、読み出し部３００は、Ｎ枚の表示部材１００それぞれについて、常に左から右に向かって順に各画素の画素値（電圧値）を読み出す。一方、書き込み部４００は、インクリメントモードの場合には、左から右に向かって（読み出し順と同じ順序で）順に各画素に画素値（電圧値）を書き込む。一方、デクリメントモードの場合には、右から左に向かって（読み出し順と反対の順序で）順に各画素に画素値（電圧値）を書き込む。
【００７８】
なお、読み出し部３００が右から左に向かって各画素の画素値を読み出し、書き込み部４００がインクリメントモードの場合は同じ順序（右から左）で、デクリメントモードの場合は反対の順序（左から右）で各画素に画素値を書き込んでもよいことは言うまでもない。
【００７９】
具体的には、Ｓ７０２において変数ｉの更新モードを判定し、インクリメントモードの場合は、左辺から右辺に向かって書き込むようにするために、変数ｉの初期値であるｉ＿ＩＮＩに値１を設定し、さらに変数ｉの増分値であるｉ＿ＤＥＬＴＡに値１を設定する（Ｓ７０３）。一方、デクリメントモードの場合は、ｉ＿ＩＮＩに値Ｎを設定し、さらにｉ＿ＤＥＬＴＡに値（−１）を設定する（Ｓ７０４）。そして、Ｓ５０４の変数ｉの初期設定では、変数ｉにｉ＿ＩＮＩを設定し、Ｓ４０２の変数ｉの更新処理においては、変数ｉにｉ＿ＤＥＬＴＡを加算することとなる。その他の処理は図８と同様であるので説明を省略する。
【００８０】
なお、第３の実施形態における遊技用具は、図１０のモードＣに対応するシャフリング方法であったが、モードＡやモードＢにも簡単に適用することが可能である。
【００８１】
以上のように、カードステータス検知部９００が検知したカードステータスに応じて、制御部７００がシャフリング用バッファ８００のストア状態を図１６Ａから図１６Ｂに示す状態に入れ替えるようにしたので、Ｎ枚の表示部材１００の表裏に関わらず、簡単にシャフリングすることができる。
【００８２】
なお、第１及び第２の実施形態において、読み出しの順番と書き込みの順番のいずれか一方をランダムとしたが、両者共にランダムであっても構わない。また第３及び第４の実施形態において、読み出しの順番と書き込みの順番のいずれか一方、あるいは両者共にランダムであっても構わない。
【００８３】
なお、第１〜第４の実施形態において、第１及び第２の電極１１０、１２０の端子部１１２、１２２とコネクタ２０００、２００１とを接合させることによって、表示部材１００の電圧値の読み出しや書き込みを行ったが、第１及び第２の電極１１０、１２０の端子部１１２、１２２の間を無線通信や光通信によって電圧値を伝送するようにしても構わない。
【００８４】
なお、第１〜第４の実施形態において、ゲーム種は花札に限定されるものではなく、トランプや麻雀など、複数の表示部材を有する遊技用具であれば何でも適用できる。また、ゲーム種を選択するスイッチを設けても良い。またゲーム種に依存するパラメータ（例えばＮの値など）は、スイッチにより自動的に決定するようにしてもよい。
【００８５】
なお、第１〜第４の実施形態において、不揮発性表示媒体の表示方式は、電気泳動方式に限定されるものではなく、不揮発性の表示素子であって表示情報の読み書きができる方式であれば適用することができる。
【００８６】
なお、本発明は、読み書き装置として実現できるだけでなく、読み書き装置の機能を実現する集積回路として実現したり、そのような機能をコンピュータに実行させるプログラムとして実現したりすることもできる。
【００８７】
また、集積回路化の手法はＬＳＩ（Ｌａｒｇｅ  Ｓｃａｌｅ  Ｉｎｔｅｇｒａｔｉｏｎ）に限るものではなく、専用回路または汎用プロセッサで実現してもよいし、ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【００８８】
また、プログラムデータは、記録媒体を介して記憶装置内に導入されてもよいし、記録媒体上から直接実行されてもよい。なお、記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤやＢＤ等の光ディスクやＳＤカード等のメモリカード等の記録媒体をいう。また、記録媒体は、電話回線や搬送路等の通信媒体も含む概念である。
【００８９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００９０】
本発明にかかる遊技用具は、花札やトランプ、あるいは麻雀などのシャフリングを必要とする遊技用具全般において有益である。
【図面の簡単な説明】
【００９１】
【図１】本発明の第１の実施形態における遊技用具の構成図である。
【図２Ａ】表示部材の内部構造を示す図である。
【図２Ｂ】図２Ａの表示部材を、第１の電極に沿って切断した断面図である。
【図３Ａ】読み書き装置の外観図である。
【図３Ｂ】収納部の一方側の側面の内側の端子配置図である。
【図３Ｃ】収納部の他方側の側面の内側の端子配置図である。
【図４】バッファのメモリマップである。
【図５】本発明の第１の実施形態におけるシャフリング機能を示すフローチャートである。
【図６】本発明の第２の実施形態におけるシャフリング機能を示すフローチャートである。
【図７】本発明の第３の実施形態における遊技用具の構成図である。
【図８】本発明の第３の実施形態におけるシャフリング機能を示すフローチャートである。
【図９Ａ】本発明の第３の実施形態における書き込み用バッファのメモリマップである。
【図９Ｂ】本発明の第３の実施形態における読み出し用バッファのメモリマップである。
【図１０】本発明の第１〜第３の実施形態における読み書き装置の動作モードを示す図である。
【図１１】本発明の第４の実施形態における遊技用具の構成図である。
【図１２】４種類のカードステータスを示す説明図である。
【図１３】本発明の第４の実施形態における表示部材の外観図である。
【図１４】本発明の第４の実施形態における収納部の上面図である。
【図１５】本発明の第４の実施形態におけるシャフリング機能を示すフローチャートである。
【図１６Ａ】本発明の第４の実施形態における書き込み用バッファのメモリマップである。
【図１６Ｂ】本発明の第４の実施形態における読み出し用バッファのメモリマップである。
【図１７】カードステータステーブルを示すメモリマップである。
【符号の説明】
【００９２】
１００，１００＿１，１００＿２，１００＿ｋ，１００＿Ｎ  表示部材
１１０，１１０＿１，１１０＿Ｌ                          第１の電極
１１１，１２１                                          電極部
１１２，１２２                                          端子部
１２０，１２０＿１，１２０＿Ｍ                          第２の電極
１３０                                                  カプセル
１４０                                                  台紙
２００                                                  読み書き装置
２０１                                                  収納部
２０１ａ，２０１ｂ，２０１ｃ，２０１ｄ                  側面
２０２                                                  回路部
２０３                                                  スイッチ
３００                                                  読み出し部
４００                                                  書き込み部
５００，７００                                          制御部
６００                                                  バッファ
８００                                                  シャフリング用バッファ
８１０                                                  書き込み用バッファ
８２０                                                  読み出し用バッファ
９００                                                  カードステータス検知部
１００５＿ｋ                                            導電性部材
２０００，２０００＿１，２０００＿２，２０００＿ｉ，２０００＿Ｌ，２００１，２００１＿１，２００１＿２，２０００＿ｉ，２００１＿Ｍ      コネクタ
２００５Ａ＿ｋ，２００５Ｂ＿ｋ，２００５Ｃ＿ｋ，２００５Ｄ＿ｋ  導電スイッチ
【図１】
2010200822.tif 000003
【図２Ａ】
2010200822.tif 000004
【図２Ｂ】
2010200822.tif 000005
【図３Ａ】
2010200822.tif 000006
【図３Ｂ】
2010200822.tif 000007
【図３Ｃ】
2010200822.tif 000008
【図４】
2010200822.tif 000009
【図５】
2010200822.tif 000010
【図６】
2010200822.tif 000011
【図７】
2010200822.tif 000012
【図８】
2010200822.tif 000013
【図９Ａ】
2010200822.tif 000014
【図９Ｂ】
2010200822.tif 000015
【図１０】
2010200822.tif 000016
【図１１】
2010200822.tif 000017
【図１２】
2010200822.tif 000018
【図１３】
2010200822.tif 000019
【図１４】
2010200822.tif 000020
【図１５】
2010200822.tif 000021
【図１６Ａ】
2010200822.tif 000022
【図１６Ｂ】
2010200822.tif 000023
【図１７】
2010200822.tif 000024